(57)【要約】【課題】  埋込式型枠保持具を使用してコンクリート構造物を製作する工法において、頻繁に発生する埋込式型枠保持具の突出や、型枠組付けの際の締め込みによって生ずる保持具自体の破損を減少させることの出来るコンクリート製埋込式型枠保持具の構造を考えること。【解決手段】  コンクリート製埋込式型枠保持具の構造として、型枠接地面の面積が５５０mm2以上とすることで、型枠組付けの際の締め込みによって生ずる埋込式型枠保持具の突出を軽減し、埋込式型枠保持具内部に不織布でできた繊維のシートを埋め込む構造とすることで締め込みによる圧縮力と埋込式型枠保持具の内部に埋設された金属ナットの回転しようとする際に発生する作用力による破損を防ぐことができる。【選択図】    図２
2005248473.tif 000002
【特許請求の範囲】
【請求項１】
埋込式の型枠保持具を用いて、コンクリート構造物を製作した際、ホームタイの締め付けによって保持具が型枠に食い込み、コンクリート仕上げ面に保持具が突出してしまう現象を防ぎ、均一な仕上り面とする事の出来るコンクリート製の埋込式型枠保持具の構造
【請求項２】
コンクリート製の埋込式型枠保持具を型枠に固定する際、締め付けによる圧縮力や回転力によって作用するコンクリート製埋込式型枠保持具の割れなど、保持具自体の破損を大幅に軽減するためのコンクリート製の埋込式型枠保持具の構造。
【発明の詳細な説明】
【技術分野】
【０００１】
本発明は、型枠を用いてコンクリート構造物を製作する際になどに使用するコンクリート製の埋込式型枠保持具に関し、更に詳しくはコンクリート打設するに際して型枠を一定間隔に保持する為に用いられる型枠固定用のセパレーターの両端部に取付けられるコンクリート製の埋込式型枠保持具の構造に関するものである。
【背景技術】
【０００２】
従来、一定間隔のコンクリート型枠を組み立てる際に使用する型枠の保持具には埋込式の物と打設後に取り外す物とがあり、これら型枠の保持具には様々な発明と開発が加えられている。
【０００３】
型枠の距離を一定にする一手段としては、セパレーターと呼ばれる長ボルトを一定間隔で型枠に取り付ける方法が多く採用されており、またこのセパレーターを固定する為に、接続ナットを埋め込んだプラスチック製の型枠保持具を使用するのが一般的な方法である。しかしこの方法で施工するとコンクリート型枠の脱型後に仕上り面に残る型枠保持具の抜き取り跡はモルタル等を使用して補修するといった煩雑な補修作業が必要で有った。
【０００４】
近年では、上述の補修作業を無くすことができ、更には抜き取った器具の最終的な処分の際にも産業廃棄物が発生しないなどの理由により埋込式の型枠保持具を使用する工法が採用されるようになってきている。
【０００５】
代表的な埋込式の型枠保持具としては、コンクリートと同色のプラスチックを主材料とした物や、コンクリートまたはモルタルを主材料とした物が挙げられるが、コンクリートとは異質のプラスチック製埋込式型枠保持具などを使用すると、コンクリートに残された保持具とコンクリートの隙間からの漏水や雨水の浸入などが発生し、コンクリート構造物に悪影響を与える事が懸念されている。
【０００６】
さらに上述の埋込式型枠保持具を固定するに際し、インパクトレンチ等を使用すると、締め付けによる過大な圧縮力や回転力によって、合板製型枠にこれら埋込式の枠保持具が食い込み、コンクリート打設後に型枠を外した際、仕上り面に埋込式型枠保持具が突出し凸部と成って現れ補修作業が必要となる場合がある。またコンクリート製の型枠保持具においては、締め付け過ぎによって保持具自体が破損するといった問題も多く発生している。
【発明の開示】
【発明が解決しようとする課題】
【０００７】
本発明に係るコンクリート製の埋込式型枠保持具は、型枠組み付けの際にも合板の製型枠に保持具が食い込み難く、締付の際に発生する圧縮力や回転力に対しても、保持具自体が破損し難い構造のコンクリート製型枠保持具を製作し提供することにある。
【課題を解決するための手段】
【０００８】
これらの課題を解決するためのコンクリート製埋込式型枠保持具の構造として、型枠接地面にかかる圧縮力を少なくして、型枠組付けの際の締め込みによって生ずる埋込式型枠保持具の突出を軽減し、保持具の内部に埋設された金属ナットの回転しようとする際に発生する作用力による破損を防ぐための手段として、引張強さ及び引き裂き強さに優れ、薄く軽量でコンクリートの付着性が高くコンクリートに対して悪影響を与えない材質として繊維を原料とした不織布のシートを保持具の内部に埋め込むことで、保持具自体が破損し難い構造のコンクリート製型枠保持具提供することができる。
【発明の効果】
【０００９】
型枠設置面積が５００mm2以上ある埋込式型枠保
請求項１に係る発明によれば、持具を使用してコンクリート構造物を製作する際、通常のインパクトレンチ等による締め付けトルク即ち１２００Kgf／cm2以下で施工すれば、コンクリート仕上り面に凸部の無い均一な仕上り面を得ることが可能である。
【００１０】
そして請求項２に記載の発明によれば、型枠に組み付ける際の締付けによる破損の少ないコンクリート製埋込式型枠保持具を製作することが可能である。
【発明を実施するための最良の形態】
【００１１】
以下に本発明の好適な実施の形態を詳細に説明する。
図１は一般的に知られるコンクリート製の埋込式型枠保持具の代表的な構造でセパレーターd．と軸足e．を接続するための金属製ナットa．がコンクリート部分b．に埋め込まれた構造と成っており、型枠接地面c．には締付けによって生ずる圧縮力が全て掛かることになる。これによって、合板製型枠ｈ．に埋込式型枠保持具がめり込む結果となり、また型枠接地面c．には摩擦力が生じているため埋設された金属ナットa．が回転しようとする放射状の作用力をコンクリート部分b．に与えており、更には保持具自体も破損する原因となっている。
【００１２】
従来の埋込式型枠保持具は、型枠接地面c．の面積が非常に少なく、型枠に作用する圧縮力は局部的に大きくなる。またインパクトレンチなどで締める際に掛かる力は凡そ１２００Ｋｇｆ／cm2以下であるが、型枠接地面c.にのみに力が集中するので設地面積が変わると１mm2あたりにかかる力も変わってくることとなる。
しかしながら、埋込式型枠保持具の外形は作業の効率を考慮すると極力小さく作ることが好ましい。
【００１３】
そこで本発明では、一般的に使用されている厚さ１２ｍｍの合板製型枠に対して１２００Ｋｇｆ／cm2の圧縮力を掛けその面積を変えて合板に与える影響を調べ、埋込式型枠保持具の型枠接地面c.を検討する事とした。
【００１４】
圧縮力をかける面積は、２５０mm2・３００mm2・３５０mm2・４００mm2・４５０mm2・５００mm2・５５０mm2・６００mm2の８通りとし合板に０．２ｍｍ以上の凹ができた場合は不合格とした。
【００１５】
表１は上記の結果を示したもので、いずれも５００mm2以下では０．２ｍｍ以上の凹が発生し不合格であった。
【００１６】
【表１】
2005248473.tif 000003
【００１７】
この実験結果より、合板型枠に接地する埋込式型枠保持具の面積を５００mm2以上とすれば、型枠保持具が型枠に食い込み仕上り面に現れる凸部を減少させる事が可能であるので、本発明のコンクリート製埋込式型枠保持具の型枠接地面はの直径を３０ｍｍとし、軸足e．を通す穴である直径１４ｍｍの空洞を差し引いても、有効面積が５５２．６４mm2になる構造とした。
【００１８】
次に、コンクリート製埋込式型枠保持具の締付けによる破損を減少させるため、図２に示す通りコンクリート部分b．に埋め込む金属ナットa．の周りに、強度を増すための骨材として、不織布でできた繊維シートをf．を円形状に切り抜いてセットし、埋め込んで形成することで、締め付けによる圧縮力と埋込式型枠保持具に埋設された金属ナットが回転しようとする際に発生する放射状の作用力を抑えることが可能である。
【００１９】
本発明によるコンクリート製埋込式型枠保持具の具体的な製造方法としては、図３にあるように製作用の金型g．に予めセットされた金属性ナットa．の中間部分に不織布でできた繊維シートf．を取り付けておき、モルタル等を流し込んで形成し、一定時間養生を行った後金型g．より取り出す事により完成する。
【００２０】
本発明では、引張強さ及び引き裂き強さに優れ、薄く軽量なデュポン株式会社製の高性能不織布を採用したが、コンクリートに対して馴染みが良く影響を与えない材質でできていて同等の性能を有する物であれば、好適に使用することができる。
【図面の簡単な説明】
【００２１】
【図１】一般的なコンクリート製型枠保持具の構造と、これをコンクリート型枠に組み付けた状況を表した図である。
【図２】本発明の実施形態に係る、締め付けによる破損に強いコンクリート製型枠保持具の構造を表した図である。
【図３】本発明に係るコンクリート製型枠保持具を製造する為の金型としくみ。
【符号の説明】
【００２２】
a．軸足とセパレーターを接続する為の金属ナット
b．コンクリート製埋込式型枠保持具のコンクリート本体部分
c．埋込式型枠保持具の型枠接地部分
d．セパレーター
e．軸足
f．不織布でできた繊維シート
g．コンクリート製型枠保持具製作のための金型
h．合板製型枠
【図１】
2005248473.tif 000004
【図２】
2005248473.tif 000005
【図３】
2005248473.tif 000006